(57)【要約】【課題】不正行為を正確に検知できる遊技機を提供すること。【解決手段】本発明の遊技機は、入賞装置、制御基板８１及び報知手段を備える。入賞装置は、磁気を検知して磁気検知信号を出力する磁気センサ９１を備える。制御基板８１は、検知時間測定手段８１ａ、検知時間判定手段８１ａ及び報知信号出力手段８１ａを備える。検知時間測定手段８１ａは、入力された磁気検知信号に基づいて磁気センサ９１の磁気検知時間を測定する。検知時間判定手段８１ａは、磁気検知時間が３００ｍｓよりも長いか否かを判定する。報知信号出力手段８１ａは、磁気検知時間が３００ｍｓよりも長いと判定された場合に、報知手段に対して第１報知信号を出力する。報知手段は、第１報知信号に基づいて不正が行われている旨を報知する。【選択図】図８
2011212469.tif 000002
【特許請求の範囲】
【請求項１】
遊技球が通過可能な開状態及び遊技球が通過不能な閉状態に切替可能な開閉部材を備え、前記開閉部材の開閉時間が複数通りに設定され、磁気を検知して磁気検知信号を出力する磁気センサが内部に設けられた入賞装置と、
前記磁気センサからの前記磁気検知信号が入力される制御基板と、
前記制御基板からの第１報知信号に基づいて、不正が行われている旨を報知する報知手段と
を備える遊技機であって、
前記制御基板は、
入力された前記磁気検知信号に基づいて前記磁気センサの磁気検知時間を測定する検知時間測定手段と、
前記検知時間測定手段によって測定された前記磁気検知時間が、外的要因により発生するノイズの時間よりも長いか否かを判定する検知時間判定手段と、
前記検知時間判定手段によって前記磁気検知時間が前記ノイズの時間よりも長いと判定された場合に、前記報知手段に対して前記第１報知信号を出力する報知信号出力手段と
を備えることを特徴とする遊技機。
【請求項２】
前記検知時間測定手段は、前記制御基板と前記磁気センサとをつなぐ経路が遮断された場合に、経路遮断時間を測定し、
前記検知時間判定手段は、前記検知時間測定手段によって測定された前記経路遮断時間が、前記ノイズの時間よりも長いか否かを判定し、
前記検知時間判定手段によって前記経路遮断時間が前記ノイズの時間よりも長いと判定された場合、前記報知信号出力手段は、前記報知手段に対して第２報知信号を出力し、
前記報知手段は、前記第２報知信号に基づいて不正が行われている旨を報知する
ことを特徴とする請求項１に記載の遊技機。
【請求項３】
前記磁気検知時間または前記経路遮断時間が前記ノイズの時間よりも長いと前記検知時間判定手段が肯定判定した場合、前記報知信号出力手段は、前記報知手段及びホールコンピュータに対して前記第１報知信号または前記第２報知信号を出力し、
前記報知手段は、前記第１報知信号または前記第２報知信号に基づいて、前記検知時間判定手段が肯定判定している間の所定時間のみ報知を行い、
前記報知信号出力手段は、前記検知時間判定手段が肯定判定している間、前記ホールコンピュータに対して前記第１報知信号または前記第２報知信号を出力し続ける
ことを特徴とする請求項１または２に記載の遊技機。
【請求項４】
前記遊技機は単数または複数の報知手段を備え、
前記制御基板は、遊技機全体を制御する主制御基板であり、
前記主制御基板は、前記検知時間測定手段、前記検知時間判定手段及び前記報知信号出力手段による処理を実行し、該処理結果に応じて前記第１報知信号または前記第２報知信号を前記複数の報知手段へ出力する
ことを特徴とする請求項１乃至３のいずれか１項に記載の遊技機。
【請求項５】
前記遊技機は、前記入賞装置が設けられた遊技盤を透視状態で保護するためのガラスを有し、
前記磁気センサは、前記入賞装置内における前記ガラスの近傍に視認可能に設けられることを特徴とする請求項１乃至４のいずれか１項に記載の遊技機。
【請求項６】
前記入賞装置は、前記開閉部材を前記開状態及び前記閉状態に切り替える電気的アクチュエータを備え、
少なくとも前記電気的アクチュエータと前記磁気センサとの間に、前記電気的アクチュエータから発生する磁気を遮蔽するシールド部材が設けられることを特徴とする請求項１乃至５のいずれか１項に記載の遊技機。
【請求項７】
前記入賞装置は、遊技盤に設けられた始動入賞口への遊技球の入賞を契機として開閉する一対の羽根部材を前記開閉部材として有する入賞装置であり、
前記入賞装置内には、前記一対の羽根部材が前記開状態であるときに遊技球が流入しうる第１入賞空間と、前記第１入賞空間に流入した遊技球が流入する第２入賞空間とが形成され、
前記第２入賞空間内に、
前記第２入賞空間に流入した遊技球が入賞可能であり、遊技球が入賞しても遊技者に有利な特定遊技状態が付与されない一般入賞口と、
前記第２入賞空間に流入した遊技球が入賞可能であり、遊技球の入賞により遊技者に有利な特定遊技状態が付与される契機となる特別入賞口と、
前記第２入賞空間に流入した遊技球を前記一般入賞口側と前記特別入賞口側とに振り分ける振分部材と
が設けられ、
前記第１入賞空間外及び前記第２入賞空間外であって前記第１入賞空間の近傍に前記磁気センサを設けた
ことを特徴とする請求項１乃至６のいずれか１項に記載の遊技機。
【請求項８】
前記磁気センサは、
前記第１入賞空間よりも後方であって、前記一対の羽根部材を前記開状態及び前記閉状態に切り替える電気的アクチュエータよりも前方に配置されるとともに、
前記第２入賞空間の上方に配置される
ことを特徴とする請求項７に記載の遊技機。
【発明の詳細な説明】
【技術分野】
【０００１】
本発明は遊技機に係り、特には磁気センサで検知された検知信号に基づいて不正が行われている旨を報知する遊技機に関するものである。
【背景技術】
【０００２】
一般に、遊技機の一種であるパチンコ機は、遊技盤の遊技領域内に複数の入賞装置を備えている。これらの入賞装置に遊技球が入賞した場合には、多数の賞球を獲得することができる機会が遊技者に付与されるようになっている。
【０００３】
ところで、近年、磁石を遊技機に近付けて遊技球を誘導し、不正に入賞装置へ入賞させて多くの賞球を獲得する不正行為が行われることがある。しかし、従来の遊技機では、上記のような不正行為が行われたとしても、不正を検知することが困難であった。そこで、磁石から発生する磁気を検知する磁気センサを入賞装置内に設け、磁気センサが磁気を検知した際に不正が行われた旨を報知する遊技機が提案されている（例えば、特許文献１参照）。
【先行技術文献】
【特許文献】
【０００４】
【特許文献１】特許第２５１４４２５号公報（図１など）
【発明の概要】
【発明が解決しようとする課題】
【０００５】
ところが、特許文献１に記載の従来技術では、磁気センサで磁気を検知すると、全ての場合において不正が行われたと判定して報知が行われる。このため、例えば、外的要因によって発生したノイズを磁気センサで検知したとしても、毎回不正が行われたと判定することになる。その結果、報知が行われたとしても、不正行為に起因する報知か否かを判断できないため、実際に不正行為が行われていても分からないおそれがある。しかも、遊技者が不正行為を行っていないにもかかわらず、「不正行為を行ったのではないか？」と遊技者を疑うことにより、遊技者との間でトラブルになるおそれがある。
【０００６】
本発明は上記の課題に鑑みてなされたものであり、その目的は、不正行為を正確に検知できる遊技機を提供することにある。
【課題を解決するための手段】
【０００７】
上記の課題を解決するために、請求項１に記載の発明は、遊技球が通過可能な開状態及び遊技球が通過不能な閉状態に切替可能な開閉部材を備え、前記開閉部材の開閉時間が複数通りに設定され、磁気を検知して磁気検知信号を出力する磁気センサが内部に設けられた入賞装置と、前記磁気センサからの前記磁気検知信号が入力される制御基板と、前記制御基板からの第１報知信号に基づいて、不正が行われている旨を報知する報知手段とを備える遊技機であって、前記制御基板は、入力された前記磁気検知信号に基づいて前記磁気センサの磁気検知時間を測定する検知時間測定手段と、前記検知時間測定手段によって測定された前記磁気検知時間が、外的要因により発生するノイズの時間よりも長いか否かを判定する検知時間判定手段と、前記検知時間判定手段によって前記磁気検知時間が前記ノイズの時間よりも長いと判定された場合に、前記報知手段に対して前記第１報知信号を出力する報知信号出力手段とを備えることを特徴とする遊技機をその要旨とする。
【０００８】
従って、請求項１に記載の発明では、磁気センサによる磁気検知時間がノイズの時間よりも長いと判定された場合にはじめて、不正が行われている旨を報知させるための第１報知信号が報知手段に出力されるため、偶然発生したノイズに基づく無駄な報知を防止できる。即ち、報知手段による報知は実際に不正行為が行われた場合のみとなる。以上により、遊技者が行う不正行為を正確に検知でき、しかも無実の遊技者をノイズに起因した報知に基づいて疑わなくて済む。
【０００９】
なお、ノイズとしては、前記開閉部材を開状態及び閉状態に切り替える電気的アクチュエータ（請求項６）から発生するものや、前記制御基板上の回路を信号が流れる際に発生するものや、遊技機の外部（例えば島設備や、遊技者が所持する携帯電話など）から発生するものなどが挙げられる。
【００１０】
ここで、遊技機がいわゆる「デジパチ」と称される遊技機である場合、前記入賞装置としては大入賞口が挙げられ、前記開閉部材としては、大入賞口に配設された可動部材（開閉扉、開閉羽根等）が挙げられる。一方、遊技機がいわゆる「羽根モノ」と称される遊技機である場合、入賞装置としては、開閉動作を行う一対の開閉羽根（開閉翼）を有する入賞装置が挙げられ、開閉部材としては、前記一対の開閉羽根が挙げられる。
【００１１】
ところで、一般的に遊技機は、入賞装置が設けられた遊技盤を透視状態で保護するためのガラスを有しているため、不正を行う場合には、ガラス越しに遊技球を誘導できるほどの強い磁気を有する磁石が用いられる。一方、モータやソレノイドなどの電気的アクチュエータからは、磁石が発生する磁気に比べてかなり弱い磁気が発生する。よって、弱い磁気を検知できず、ある一定以上の強い磁気（例えば４．５ｍＴ以上の磁気）を検知可能とするような磁気センサを用いることが好ましい。仮に、磁気センサの検知感度を敏感にしすぎると、上記の電気的アクチュエータから発生する磁気を磁気センサが検知してしまうからである。
【００１２】
なお、前記報知手段としては、例えば、不正が行われている旨を発光（点灯・点滅等）によって報知するランプなどの発光手段、不正が行われている旨を音声（効果音等）にて報知するスピーカなどの音声出力手段、不正が行われている旨を表示（文字、記号、絵等）にて報知する液晶式表示装置などの表示手段、不正が行われている旨を何らかの動作によって報知する可動体などが挙げられる。
【００１３】
前記検知時間判定手段による判定基準となる磁気検知時間は、ノイズの時間よりも長ければ特に限定されない。しかし、上記の磁気検知時間があまりに長すぎると、遊技機に磁石が近付いていても第１報知信号が出力されにくくなるため、不正行為が行われても報知が行われない可能性がある。よって、検知時間判定手段による判定基準となる磁気検知時間は、できるだけ短い時間に設定されることが好ましい。さらに、検知時間判定手段による判定基準となる磁気検知時間は、例えば３００ｍｓに設定されることが好ましい。なお、３００ｍｓに設定する理由は、以下の通りである。即ち、不正を行うときに、磁石を可能な限り速く動かして磁気センサの検知範囲内を通過させたとしても、磁気センサは、少なくとも３００ｍｓの間、磁気を検知してしまうからである。
【００１４】
請求項２に記載の発明は、請求項１において、前記検知時間測定手段は、前記制御基板と前記磁気センサとをつなぐ経路が遮断された場合に、経路遮断時間を測定し、前記検知時間判定手段は、前記検知時間測定手段によって測定された前記経路遮断時間が、前記ノイズの時間よりも長いか否かを判定し、前記検知時間判定手段によって前記経路遮断時間が前記ノイズの時間よりも長いと判定された場合、前記報知信号出力手段は、前記報知手段に対して第２報知信号を出力し、前記報知手段は、前記第２報知信号に基づいて不正が行われている旨を報知することをその要旨とする。
【００１５】
従って、請求項２に記載の発明によると、制御基板と磁気センサとをつなぐ経路が遮断され、経路遮断時間がノイズの時間よりも長いと判定されると、不正が行われている旨が報知される。このため、上記の経路が遮断された状態（即ち、磁気センサによる磁気の検知が不能な状態）で不正を行うことを未然に防止できる。
【００１６】
なお、制御基板と磁気センサとをつなぐ経路が遮断される具体例としては、制御基板に接続される磁気センサのコネクタが外れたり抜けたりすることや、制御基板と磁気センサとをつなぐ配線が切断されることなどが挙げられる。
【００１７】
請求項３に記載の発明は、請求項１または２において、前記磁気検知時間または前記経路遮断時間が前記ノイズの時間よりも長いと前記検知時間判定手段が肯定判定した場合、前記報知信号出力手段は、前記報知手段及びホールコンピュータに対して前記第１報知信号または前記第２報知信号を出力し、前記報知手段は、前記第１報知信号または前記第２報知信号に基づいて、前記検知時間判定手段が肯定判定している間の所定時間のみ報知を行い、前記報知信号出力手段は、前記検知時間判定手段が肯定判定している間、前記ホールコンピュータに対して前記第１報知信号または前記第２報知信号を出力し続けることをその要旨とする。
【００１８】
従って、請求項３に記載の発明によると、第２報知信号がホールコンピュータにも出力されるため、遊技店の店員が不正を行っている遊技者の傍にいなくても、不正が行われている旨を知ることができる。また、報知手段による報知、即ち、遊技者や遊技店の店員への報知は所定時間のみ行われるため、無駄に報知し続けることにより、周りの遊技者に不快な思いをさせなくて済む。一方、遊技者や遊技店の店員に報知し続けない代わりに、検知時間判定手段が肯定判定している間、ホールコンピュータに対して第１報知信号または第２報知信号を出力し続けるため、実際にどのくらいの間、不正が行われていたかを知ることができる。
【００１９】
請求項４に記載の発明は、請求項１乃至３のいずれか１項において、前記遊技機は単数または複数の報知手段を備え、前記制御基板は、遊技機全体を制御する主制御基板であり、前記主制御基板は、前記検知時間測定手段、前記検知時間判定手段及び前記報知信号出力手段による処理を実行し、該処理結果に応じて前記第１報知信号または前記第２報知信号を前記複数の報知手段へ出力することをその要旨とする。
【００２０】
従って、請求項４に記載の発明によると、主制御基板が不正が行われたか否かを判定する（前記検知時間判定手段による処理を実行する）ため、報知手段が複数ある場合において不正が行われたときには、主制御基板より各報知手段を同期させて制御することができる。ゆえに、制御に無駄がなくなるとともに、各報知手段による報知のずれが防止される。また、主制御基板が前記報知信号出力手段としても機能するため、前記ホールコンピュータに対して第１報知信号または第２報知信号を出力する場合に、他の基板を介さずに直接出力することもできる。
【００２１】
請求項５に記載の発明は、請求項１乃至４のいずれか１項において、前記遊技機は、前記入賞装置が設けられた遊技盤を透視状態で保護するためのガラスを有し、前記磁気センサは、前記入賞装置内における前記ガラスの近傍に視認可能に設けられることをその要旨とする。
【００２２】
従って、請求項５に記載の発明によると、不正行為を行う際に磁石が接近しうるガラスの近傍に磁気センサが設けられるため、磁石と磁気センサとの距離が短くなる。その結果、前記検知範囲が広くなるため、磁気センサによる磁気の検知が容易になる。また、磁気センサが視認可能であるため、磁気センサによる威嚇効果によって不正行為を未然に防止できる。
【００２３】
請求項６に記載の発明は、請求項１乃至５のいずれか１項において、前記入賞装置は、前記開閉部材を前記開状態及び前記閉状態に切り替える電気的アクチュエータを備え、少なくとも前記電気的アクチュエータと前記磁気センサとの間に、前記電気的アクチュエータから発生する磁気を遮蔽するシールド部材が設けられることをその要旨とする。
【００２４】
従って、請求項６に記載の発明によると、少なくとも電気的アクチュエータと磁気センサとの間にシールド部材を設けることで、電気的アクチュエータから発生する磁気が磁気センサによって検知されにくくなる。ここで、シールド部材は、磁性材料等によって形成されることが好ましく、例えば、鉄、ニッケル、ケイ素などを含有する金属板材などが挙げられる。なお、シールド部材を電気的アクチュエータに接触させれば、電気的アクチュエータから発生する熱を放出しやすくなり、電気的アクチュエータの誤動作防止や長寿命化につながる。また、より放熱性を向上させるためには、シールド部材を電気的アクチュエータの複数の面に接触させることが好ましい。
【００２５】
ところで、磁気センサの位置は、検知範囲を広くするために、前記ガラスの近傍に設定されることが好ましい。また、電気的アクチュエータの位置は、本来的には前記開閉部材に近い位置に設定されることが好ましい。このようにすれば、電気的アクチュエータの位置が開閉部材から遠い位置に設定される場合に比べて開閉部材を駆動させる力が小さくて済み、しかも、開閉部材を駆動するための駆動機構が短く、軽くなる。ゆえに、開閉部材を駆動する際に電気的アクチュエータに負担が掛かりにくくなる。しかし、磁気センサをガラスの近傍に配置したくても、電気的アクチュエータが邪魔になって配置できない場合は、電気的アクチュエータを開閉部材から離間させて、遊技盤の裏側に配置するとともに、磁気センサを電気的アクチュエータと開閉部材との間に配置することが好ましい。なお、請求項６によれば、電気的アクチュエータと磁気センサとの間にシールド部材が設けられるため、電気的アクチュエータを磁気センサに近付けて、電気的アクチュエータと開閉部材との距離を短縮することができる。ゆえに、開閉部材と電気的アクチュエータとをつなぐ伝達部材が軽量化されるため、電気的アクチュエータに負担が掛かりにくくなり、ひいては、電気的アクチュエータの長寿命化につながる。
【００２６】
請求項７に記載の発明は、請求項１乃至６のいずれか１項において、前記入賞装置は、遊技盤に設けられた始動入賞口への遊技球の入賞を契機として開閉する一対の羽根部材を前記開閉部材として有する入賞装置であり、前記入賞装置内には、前記一対の羽根部材が前記開状態であるときに遊技球が流入しうる第１入賞空間と、前記第１入賞空間に流入した遊技球が流入する第２入賞空間とが形成され、前記第２入賞空間内に、前記第２入賞空間に流入した遊技球が入賞可能であり、遊技球が入賞しても遊技者に有利な特定遊技状態が付与されない一般入賞口と、前記第２入賞空間に流入した遊技球が入賞可能であり、遊技球の入賞により遊技者に有利な特定遊技状態が付与される契機となる特別入賞口と、前記第２入賞空間に流入した遊技球を前記一般入賞口側と前記特別入賞口側とに振り分ける振分部材とが設けられ、前記第１入賞空間外及び前記第２入賞空間外であって前記第１入賞空間の近傍に前記磁気センサを設けたことをその要旨とする。
【００２７】
例えば、特別入賞口に直接遊技球を入賞させる不正行為を行う場合、第２入賞空間に流入した遊技球を磁石で誘導し、特別入賞口を直接狙うことになる。しかし、入賞装置には振分部材が設けられており、特別入賞口への遊技球の入賞が振分部材によって邪魔されうるようになっている。よって、特別入賞口を直接狙う不正行為を行うことは困難である。また、第２入賞空間に流入する遊技球の数がさほど多くないことも、上記の不正行為が困難になる理由の１つである。即ち、入賞装置に遊技球を入賞させるには、あらかじめ始動入賞口に遊技球を入賞させておき、開閉手段が開状態に切り替わるのを見計って入賞装置に遊技球を入賞させなければならない。つまり、開放時間（例えば１秒）が決まっているため、このときに入賞装置に入賞する遊技球はさほど多くない。従って、特別入賞口を直接狙う不正行為を行うためには、入賞装置に遊技球を入賞させ、さらに入賞装置に入賞した数少ない遊技球を利用して特別入賞口を狙わなければならないため、非常に効率が悪い。ゆえに、不正行為としては、遊技盤の遊技領域内にある遊技球を、磁石を用いて左側または右側の羽根部材の上方に貯めておき、羽根部材が開状態になったときに一気に放出して入賞させ、確実ではないものの、特別入賞口への入賞を狙うことが考えられる。
【００２８】
そこで、請求項７に記載の発明では、特別入賞口の近傍にではなく第１入賞空間の近傍に磁気センサを設けることで、一対の羽根部材の上方に遊技球が貯められることを防止でき、ひいては特別入賞口への不正な入賞を防止できる。
【００２９】
また、一般的に、一対の羽根部材を有する入賞装置は遊技盤の略中央に設けられ、一対の羽根部材は入賞装置の上部に配置されているため、磁石を近付けて不正を行うには、手を上に伸ばすか、席を立たなければならない。この状況は、他の遊技者とは違う動作をしており不審であることから、目立ちやすい。これにより、不正を行うことが困難であるため、不正行為自体を防止することができる。しかも、磁石を近付けて不正を行ったとしても、磁石から発生する磁気が磁気センサによって検知されるため、不正を行うことがよりいっそう困難になる。
【００３０】
なお、磁気センサは、第１入賞空間内に配置されるのではなく、第１入賞空間の近傍である第１入賞空間の裏側などに配置される。これにより、第１入賞空間内に流入した遊技球の動きが磁気センサに邪魔されずに済む。また、第１入賞空間内に流入した遊技球が磁気センサに衝突することで、磁気センサが破損したり磁気センサからノイズが発生したりすることもない。
【００３１】
請求項８に記載の発明は、請求項７において、前記磁気センサは、前記第１入賞空間よりも後方であって、前記一対の羽根部材を前記開状態及び前記閉状態に切り替える電気的アクチュエータよりも前方に配置されるとともに、前記第２入賞空間の上方に配置されることをその要旨とする。
【００３２】
従って、請求項８に記載の発明によると、磁気センサが第１入賞空間よりも後方に配置されて入賞装置の裏側に隠れるようになるため、意匠性に影響を与えない入賞装置となる。また、磁気センサが電気的アクチュエータよりも前方に配置されるため、磁気センサの前記検知範囲内に磁気発生源である電気的アクチュエータが介在しなくなる。ゆえに、磁気センサは、電気的アクチュエータに邪魔されることなく、不正を行う際に用いられる磁石の磁気を検知することができる。さらに、磁気センサが電気的アクチュエータより前方に配置されることで、磁気センサはガラスの近傍に位置するようになる。その結果、磁気センサの前記検知範囲が広くなるため、磁気センサによる磁気の検知が容易になる。
【発明の効果】
【００３３】
以上詳述したように、請求項１〜８に記載の発明によれば、不正行為を正確に検知できる遊技機を提供することができる。
【図面の簡単な説明】
【００３４】
【図１】本実施形態におけるパチンコ機の遊技盤を示す概略正面図。
【図２】（ａ）は入賞装置の正面図、（ｂ）は入賞装置の側面図。
【図３】入賞装置を示す分解斜視図。
【図４】（ａ），（ｂ）は、入賞装置を示す斜視図。
【図５】（ａ），（ｂ）は、入賞装置の下部入賞空間の構成を示す斜視図。
【図６】下部入賞空間の構成を示す斜視図。
【図７】パチンコ機の制御構成を示すブロック図。
【図８】主制御基板の電気的構成を説明するためのブロック図。
【図９】磁気センサと主制御基板とをつなぐ経路の回路図。
【図１０】磁気検知信号及び経路遮断信号の判定方法を示すタイミングチャート。
【図１１】磁気検知信号の出力タイミングと報知信号の出力タイミングとの関係を示すタイミングチャート。
【図１２】主制御基板のメインＣＰＵにて行われる磁気センサチェック処理を示すフローチャート。
【図１３】主制御基板のメインＣＰＵにて行われるコマンド設定処理を示すフローチャート。
【図１４】他の実施形態におけるパチンコ機の遊技盤を示す概略正面図。
【発明を実施するための最良の形態】
【００３５】
以下、本発明の遊技機をパチンコ機に具体化した一実施形態を図１〜図１３に基づき詳細に説明する。
（１）遊技盤１３の構成
【００３６】
図１に示される遊技盤１３は、パチンコ機内に配置され、ガラス枠が備えるガラス（図示略）によって透視状態で保護されている。遊技盤１３の遊技盤面１３ａには円弧状のレール１４が敷設されており、レール１４の内側領域（遊技領域）の略中央部には入賞装置２１が配設されている。また、遊技盤１３の遊技領域における入賞装置２１の真下には、第１始動入賞口２２ａが配設されるとともに、第１始動入賞口２２ａの左右両側には、第２始動入賞口２２ｂがそれぞれ離間して配設されている。さらに、遊技盤１３の遊技領域には、遊技状態に応じて点灯（点滅）・消灯などの発光装飾による演出を行う盤面ランプ１６が配設されている。
（２）入賞装置２１の構成
【００３７】
図１〜図３に示されるように、入賞装置２１は、装置本体３１の外周側に位置するフランジ状の枠板３２を介して、遊技盤１３に装着されるようになっている。装置本体３１は、略箱状に形成されるとともに、上部左右位置にそれぞれ入賞口３３が形成されている。
（２−１）羽根部材３６及び駆動機構４２の構成
【００３８】
各入賞口３３には、前記始動入賞口２２ａ，２２ｂへの遊技球Ｓ１（図４等参照）の入賞を契機として開閉する一対の羽根部材３６（開閉部材）が設けられている。各羽根部材３６は、第１始動入賞口２２ａ内のスイッチ（図示略）が第１始動入賞口２２ａへの遊技球Ｓ１の入賞を検出した際に、２回開閉するようになっている。また、各羽根部材３６は、第２始動入賞口２２ｂ内のスイッチ（図示略）が第２始動入賞口２２ｂへの遊技球Ｓ１の入賞を検出した際に、１回だけ開閉するようになっている。
【００３９】
図１〜図３に示されるように、各羽根部材３６は、装置本体３１に対して左右対称に配置されている。各羽根部材３６は、入賞装置２１において前記遊技盤１３の裏面側に位置する部分に配設された駆動機構４２の駆動により、前記遊技領域を流下する遊技球Ｓ１が通過可能な開状態と、遊技領域を流下する遊技球Ｓ１が通過不能な閉状態とに切替可能となっている。なお、各羽根部材３６は、上端が外向きに傾斜した状態（図２（ａ）参照）が開状態となり、上端が起立した状態が閉状態となる。各羽根部材３６が開状態にある場合、遊技球Ｓ１は、各入賞口３３を介して装置本体３１内へ流入可能となる。
【００４０】
図３に示されるように、駆動機構４２は、駆動源である一対のソレノイド４１（電気的アクチュエータ）と、各ソレノイド４１の動きを回転運動に変換する一対のカム部４３と、基端部がカム部４３に連結された一対のシャフト４４とを備えている。各ソレノイド４１は、本体部４１ａと、本体部４１ａに対して出没可能なプランジャ４１ｂとを備えている。プランジャ４１ｂは、励磁状態において本体部４１ａ内に没入（上側に移動）するようになっている。また、プランジャ４１ｂは、非励磁状態においてコイルバネ４１ｃに付勢されて本体部４１ａから突出（下側に移動）するようになっている。さらに、各シャフト４４の先端部は、前記枠板３２の裏面側に取り付けられた駆動機構支持体３９を挿通した後、装置本体３１及び枠板３２を順次挿通し、それぞれ羽根部材３６に連結されている（図２（ｂ）参照）。なお、駆動機構４２は、左右方向に延びるアーム４５を備えている。アーム４５の中央部には取付孔４５ａが設けられており、取付孔４５ａには補助クランク４６の一端が回動可能に取り付けられている。そして、補助クランク４６の他端は、駆動機構支持体３９の裏面側に回動可能に取り付けられている。よって、アーム４５は、補助クランク４６を介して上下方向に揺動可能に支持される。また、アーム４５における取付孔４５ａの左右両側には、各プランジャ４１ｂの先端部がソレノイドピン４１ｄを介してそれぞれ連結されている。これにより、各プランジャ４１ｂが同期して動くようになっている。さらに、アーム４５の両端部に設けられた長孔４５ｂには、カム部４３から突出する軸部４３ａがそれぞれ挿通されている。
【００４１】
従って、ソレノイド４１が励磁状態になると、プランジャ４１ｂ及びアーム４５が上側に移動するのに伴ってカム部４３及びシャフト４４が回動し、各羽根部材３６が開状態に切り替えられる。一方、ソレノイド４１が非励磁状態になると、プランジャ４１ｂ及びアーム４５が下側に移動するのに伴ってカム部４３及びシャフト４４が回動し、各羽根部材３６が閉状態に切り替えられる。
（２−２）装置本体３１の構成
【００４２】
図１，図２に示されるように、装置本体３１には、第１入賞空間３４と第２入賞空間３５とが区画形成されている。第１入賞空間３４には、各羽根部材３６が開状態であるときに前記入賞口３３を通過した遊技球Ｓ１が流入するようになっている。第２入賞空間３５は、第１入賞空間３４の下側に配置されており、第１入賞空間３４に流入した遊技球Ｓ１が流入するようになっている。
（２−３）第１入賞空間３４の構成
【００４３】
図２（ａ），図３に示されるように、第１入賞空間３４の底部は、略中央が上方に突出した球受け台５１によって構成されている。球受け台５１の左右両端部には、第２入賞空間３５に連通する連通孔５２が設けられている。よって、第１入賞空間３４に流入した遊技球Ｓ１は、球受け台５１上を転動するなどした後に、一方の連通孔５２を介して第２入賞空間３５に流入する。なお、各連通孔５２には、遊技球Ｓ１の通過を検出する球検出センサ５３が配設されている。これら球検出センサ５３により第２入賞空間３５への遊技球Ｓ１の流入が検出されると、所定数（例えば１０個）の賞球が払い出されるようになっている。また、第１入賞空間３４の正面側には、所定の表示演出を行う表示装置５４が設けられている。
（２−４）第２入賞空間３５の構成
【００４４】
また、第２入賞空間３５は、前面にて開口する略矩形箱状をなしており、第２入賞空間３５の上下方向の略中央部に形成された仕切板６１により、上部入賞空間６２ａと下部入賞空間６２ｂとに仕切られている。図５，図６に示されるように、下部入賞空間６２ｂの底面をなす傾斜面６３は、前方へ向けて下方に傾斜しており、その前端は装置本体３１の前板６４から離間している。下部入賞空間６２ｂ内に流入した遊技球Ｓ１は、傾斜面６３上を前端側に向かって転動するようになっている。そして、傾斜面６３の前側には、下部入賞空間６２ｂに流入した遊技球Ｓ１を前記遊技盤１３の裏側に排出させる特別入賞口３７及び一般入賞口３８が上方にて開口するように形成されている。特別入賞口３７に遊技球Ｓ１が入賞した場合、遊技者に有利な特定遊技状態が付与されるようになっている。一方、一般入賞口３８に遊技球Ｓ１が入賞した場合、特定遊技状態は付与されない。
【００４５】
なお、特定遊技状態では、第２入賞空間３５への１０個の遊技球Ｓ１の流入、羽根部材３６の１８回の開閉、及び、特別入賞口３７への遊技球Ｓ１の入賞のいずれか１つの条件が満たされた場合に、１回のラウンドを終了する。即ち、１ラウンド当りの羽根部材３６の開閉回数は１８回に限定されないため、羽根部材３６の開閉時間は複数通り存在する。なお、特別入賞口３７に遊技球Ｓ１が入賞した場合には次のラウンドに移行するため、ラウンドごとに特別入賞口３７に遊技球Ｓ１が入賞すれば、ラウンドを継続すること（本実施形態では、最大で１５ラウンド）が可能となる。
【００４６】
図５，図６に示されるように、前記傾斜面６３の前端と前記前板６４との間には、前記一般入賞口３８となる空間が形成されている。一般入賞口３８には、該一般入賞口３８の略中央を跨ぐように配置された樋部材７０（振分部材）が設けられており、樋部材７０には特別入賞口３７が設けられている。これにより、樋部材７０を挟む両側にそれぞれ一般入賞口３８が開口した状態となる。なお、樋部材７０の下方位置には、特別入賞口３７に入賞した遊技球Ｓ１を検出する特別遊技球検出センサ（図示略）が設けられている。樋部材７０は、特別入賞口３７が傾斜面６３の中央部の下側となる初期位置（図５（ａ），（ｂ）参照）と、特別入賞口３７が初期位置から左側（または右側）に変位した端部位置（図６参照）とに揺動可能になっている。これにより、下部入賞空間６２ｂに流入した遊技球Ｓ１が特別入賞口３７側と一般入賞口３８側とに振り分けられる。
【００４７】
図５，図６に示されるように、傾斜面６３の中央部には、傾斜面６３の後端側から前端縁まで延出する可動傾斜板６５（振分部材）が上下方向に揺動可能に配設されている。可動傾斜板６５は、樋部材７０（特別入賞口３７）が初期位置にある場合に、特別入賞口３７の後方に位置するようになっている。そして、可動傾斜板６５は、上面が傾斜面６３よりも低い基準位置（図５（ａ）参照）と、前部が傾斜面６３よりも上方へ傾動することで略水平状態となる傾動位置（図５（ｂ）参照）とに揺動可能になっている。なお、可動傾斜板６５が基準位置にある場合、傾斜面６３を転動する遊技球Ｓ１は可動傾斜板６５上を通過可能であるが、可動傾斜板６５が傾動位置に揺動すると、遊技球Ｓ１は可動傾斜板６５の側部に当接するため可動傾斜板６５上を通過できなくなる。また、可動傾斜板６５が傾動位置にある場合に、前記仕切板６１上を転動する遊技球Ｓ１が仕切板６１の斜め後方から可動傾斜板６５上に導かれてくると、遊技球Ｓ１は可動傾斜板６５の奥側に留まる（図５（ｂ）参照）。そして、可動傾斜板６５が基準位置に揺動すると、可動傾斜板６５の奥側に留まっている遊技球Ｓ１が可動傾斜板６５に沿って転動し、樋部材７０が初期位置にある場合には特別入賞口３７に案内される（図５（ａ）参照）。
【００４８】
図５，図６に示されるように、傾斜面６３の後部には、断面山形をなす一対の流路変更部材６６（振分部材）が配置されている。流路変更部材６６は、傾斜面６３の後方から前方に所定長さだけ突出しており、前後方向に移動するようになっている（図５，図６参照）。
（２−５）キャラクタ体７２の構成
【００４９】
図２（ａ）及び図４（ａ），（ｂ）に示されるように、前記仕切板６１の後方には、キャラクタの耳を模した左右一対の振分部７３を有するキャラクタ体７２（振分部材）が設けられている。キャラクタ体７２は、第２入賞空間３５の後部を構成する後壁３５ａの略中央位置に固定されている。また、各振分部７３は、装置本体３１の裏面側に配設したソレノイド（図示略）を駆動源とする駆動機構（図示略）により、仕切板６１の後端部に接離可能に構成されている。振分部７３は、仕切板６１の後端部から離間することにより、仕切板６１上を転動する遊技球Ｓ１を傾斜面６３上に落下させる第１の状態（図４（ａ）参照）に切り替わるようになっている。一方、振分部７３は、仕切板６１の後端部に当接することにより、仕切板６１上を転動する遊技球Ｓ１を仕切板６１の斜め後方から前記可動傾斜板６５に案内する第２の状態（図４（ｂ）参照）に切り替わるようになっている。これにより、第２入賞空間３５内に流入した遊技球Ｓ１は、特別入賞口３７側と一般入賞口３８側とに振り分けられる。
（３）駆動機構支持体３９及び磁気センサ９１などの構成
【００５０】
図２（ｂ），図３に示されるように、前記駆動機構支持体３９の表面の外周部分には、複数のネジ止め用突出部３９ｂが突設されている。これらのネジ止め用突出部３９ｂを前記枠板３２の裏面側に当接させた状態で、各ネジ止め用突出部３９ｂを挿通したネジ（図示略）を螺着させることにより、駆動機構支持体３９が枠板３２に固定されるようになっている。また、駆動機構支持体３９の表面の外周部分には、前記シャフト４４が挿通される筒状の軸受部３９ｃが突設されている。さらに、駆動機構支持体３９の表面の中央部分には、駆動機構支持体３９の表面から見て略矩形状をなす取付凹部３９ｄが設けられている。取付凹部３９ｄの底面には複数のホルダ支持柱３９ｅが突設されており、各ホルダ支持柱３９ｅに対してセンサホルダ３９ａがネジ止めされている。センサホルダ３９ａは、一端が開口された略矩形箱状をなし、一対の係止爪片３９ｆを有している。このセンサホルダ３９ａ内には磁気センサ９１が収容されており、この状態で磁気センサ９１には各係止爪片３９ｆが係止されている。なお、磁気センサ９１は、検知範囲Ａ１（図１参照）を広くするために、できるだけ前記ガラスに近付けた状態に配置されている。磁気センサ９１は、棒状をなしており、前記遊技盤１３の遊技盤面１３ａに対して平行に配置されている。
【００５１】
図２（ｂ），図３に示されるように、駆動機構支持体３９の裏面側には、前記駆動機構４２を構成する前記ソレノイド４１がネジ止めされるとともに、駆動機構４２を構成する前記補助クランク４６の他端が取り付けられている。従って、駆動機構支持体３９内に装着される磁気センサ９１は、ソレノイド４１よりも前方であって前記羽根部材３６よりも後方、即ち、ソレノイド４１と羽根部材３６との間に配置されている。また、図２（ｂ）に示すように、磁気センサ９１は、前記第１入賞空間３４及び第２入賞空間３５の外部であって第１入賞空間３４の後方（即ち、第２入賞空間３５の上方）となる箇所（駆動機構支持体３９）に配置されている。よって、磁気センサ９１は、入賞装置２１内において視認不能に設けられる。
【００５２】
なお、磁気センサ９１は、不正を行う際にパチンコ機に近付けられる磁石の磁気を検知するようになっている。磁気センサ９１は、磁気を検知するとオン状態となり、磁気検知信号を主制御基板８１のメインＣＰＵ８１ａ（図７〜図９参照）に出力するようになっている。また、磁気センサ９１は、磁気を検知しないときにオフ状態となり、磁気検知信号を出力しなくなる。なお、本実施形態の磁気センサ９１は、同磁気センサ９１の長手方向に延びる仮想線Ｃ１（図２（ａ）参照）上において磁気の検知感度が高くなっている。具体的には、磁気センサ９１は、上記仮想線Ｃ１上において１．８ｍＴ以上の磁気を検知可能となっており、仮想線Ｃ１と直交する線Ｃ２（図２（ｂ）参照）上において４．５ｍＴ以上の磁気を検知可能となっている。これにより、磁気センサ９１の検知範囲Ａ１（図１参照）が遊技盤１３の横方向に広がるため、検知範囲Ａ１は、入賞装置２１だけでなく、左側の羽根部材３６の上方部分や右側の羽根部材３６の上方部分なども含むようになっている。従って、磁石によって羽根部材３６の上方に遊技球Ｓ１が貯められることを防止できるため、羽根部材３６が開状態になったときに貯めておいた遊技球Ｓ１を一気に放出して入賞させ、前記特別入賞口３７への入賞を狙う不正行為を防止できる。
（４）シールド板９２の構成
【００５３】
図２（ｂ），図３に示されるように、磁気センサ９１と前記各ソレノイド４１との間には、ソレノイド４１から発生する磁気を遮蔽するシールド板９２（シールド部材）が設けられている。シールド板９２は、金属板の折曲により形成されており、各ソレノイド４１においてそれぞれ３つの面に接触している。これにより、磁気センサ９１がソレノイド４１からの磁気を検知することが確実に防止される。なお、シールド板９２が設けられない場合、ソレノイド４１と磁気センサ９１とを遠ざけないと、磁気センサ９１がソレノイド４１からの磁気を検知する可能性があるが、シールド板９２を設けることで、ソレノイド４１を磁気センサ９１に近付けることができる。よって、ソレノイド４１と羽根部材３６との距離を短縮できるため、羽根部材３６とソレノイド４１とをつなぐ伝達部材（カム部４３、シャフト４４など）が短くなることで軽量化され、ソレノイド４１に負担が掛かりにくくなる。また、シールド板９２がソレノイド４１に接触しているため、シールド板９２に確実に熱が伝導し、ソレノイド４１から発生する熱を放出しやすくなる。しかも、シールド板９２がソレノイド４１の複数の面（３つの面）に接触しているため、より放熱性が向上する。
（５）パチンコ機の電気的構成
【００５４】
図７，図８に示されるように、主制御基板８１は、パチンコ機の機裏側に装着され、パチンコ機全体を制御するようになっている。主制御基板８１は、パチンコ機全体を制御するための各種処理を実行し、該制御結果に応じて各種の制御コマンドを所定の制御信号として出力するようになっている。また、主制御基板８１には統括制御基板８２が電気的に接続され、統括制御基板８２には、表示制御基板８０、ランプ制御基板８３及び音声制御基板８４がそれぞれ電気的に接続されている。
【００５５】
次に、主制御基板８１の具体的な構成等について図７，図８に基づき詳細に説明する。主制御基板８１はメインＣＰＵ８１ａを備えており、当該メインＣＰＵ８１ａには入力ポート８９が電気的に接続されている。前記磁気センサ９１からの磁気検知信号は、入力ポート８９を介してメインＣＰＵ８１ａに入力されるようになっている。また、磁気センサ９１のコネクタ９３（図９参照）が主制御基板８１側のコネクタ９４ａ，９４ｂ（図９参照）から抜けるなどした場合、磁気センサ９１と主制御基板８１とをつなぐ経路が遮断されたことを示す経路遮断信号が、入力ポート８９を介してメインＣＰＵ８１ａに入力されるようになっている。
【００５６】
ここで、磁気検知信号及び経路遮断信号を検知するための回路について説明する。図９に示されるように、磁気センサ９１は、磁気を検知した際にオン状態となるスイッチ９５を備えている。スイッチ９５は一対の接点を有し、各接点はそれぞれコネクタ９３に接続されている。各コネクタ９３は、主制御基板８１側のコネクタ９４ａ，９４ｂにそれぞれ接続されている。また、スイッチ９５の両接点間には、抵抗９５ａが介在している。
【００５７】
一方、主制御基板８１は、一対のコネクタ９４ａ，９４ｂと、従来公知のウィンドコンパレータ回路９６とを備えている。一方のコネクタ９４ａとウィンドコンパレータ回路９６とをつなぐ経路には、電源が供給されるようになっている。この経路と電源との間には抵抗９７ａが介在し、各コネクタ９４ａ，９４ｂ間には抵抗９７ｂが介在されている。なお、抵抗９７ａの抵抗値は、抵抗９５ａの抵抗値と等しくなるように設定されており、抵抗９７ｂの抵抗値は、抵抗９７ａの抵抗値の１０倍に設定されている。また、ウィンドコンパレータ回路９６は、オペアンプＩＣ１及びオペアンプＩＣ２を備えている。オペアンプＩＣ１は、入力された信号の電圧が閾値上限Ｖｒｅｆ１（図１０参照）よりも高いか否かをチェックする。オペアンプＩＣ２は、入力された信号の電圧が閾値下限Ｖｒｅｆ２（図１０参照）よりも低いか否かをチェックする。そして、入力された信号の電圧が閾値上限よりも高い場合や閾値下限よりも低い場合、ウィンドコンパレータ回路９６は、メインＣＰＵ８１ａに対して「Ｌ」レベルの信号を出力するようになっている。一方、入力された信号の電圧が閾値上限と閾値下限との間である場合のみに、ウィンドコンパレータ回路９６は、メインＣＰＵ８１ａに対して「Ｈ」レベルの信号を出力するようになっている。
【００５８】
次に、メインＣＰＵ８１ａによる磁気検知信号及び経路遮断信号の検知方法を説明する。例えば、磁気センサ９１が磁気を検知した場合、スイッチ９５がオン状態となることにより、コネクタ９４ａ，９４ｂとウィンドコンパレータ回路９６とをつなぐ経路上の点Ａにおける電圧は、０Ｖとなる（図１０参照）。この場合、オペアンプＩＣ２によって、入力された信号の電圧が閾値下限よりも低いと判定されるため、ＮＯＲ回路９８とメインＣＰＵ８１ａとをつなぐ経路上の点Ｂにおける信号は、「Ｌ」レベルの信号となる。従って、メインＣＰＵ８１ａに入力される磁気検知信号は、「Ｌ」レベルの信号となる。
【００５９】
また、磁気センサ９１が磁気を検知しない場合、スイッチ９５がオフ状態となる。その結果、抵抗９５ａと抵抗９７ａとの分圧比によって点Ａにおける電圧が１／２Ｖとなる（図１０参照）。この場合、入力された信号の電圧は閾値上限と閾値下限との間であると判定されるため、点Ｂにおける信号は「Ｈ」レベルの信号となる。これにより、磁気センサ９１が磁気を検知する場合と検知しない場合とで異なる信号がメインＣＰＵ８１ａに入力されるため、メインＣＰＵ８１ａは磁気検知信号を検知することができる。
【００６０】
さらに、磁気センサ９１のコネクタ９３が主制御基板８１側のコネクタ９４ａ，９４ｂから抜けた場合、抵抗９７ａと抵抗９７ｂとの分圧比によって点Ａにおける電圧が１０／１１Ｖとなる（図１０参照）。この場合、オペアンプＩＣ１によって、入力された信号の電圧が閾値上限よりも高いと判定されるため、点Ｂにおける信号は「Ｌ」レベルの信号となる。これにより、磁気センサ９１が検知しない場合であっても、コネクタ９３が抜けた場合と抜けてない場合とで異なる信号がメインＣＰＵ８１ａに入力されるため、メインＣＰＵ８１ａは経路遮断信号を検知することができる。なお、経路遮断信号は磁気検知信号と同じ「Ｌ」レベルの信号である。
【００６１】
図７，図８に示されるように、メインＣＰＵ８１ａには、メインＲＯＭ８１ｂ及びメインＲＡＭ８１ｃが電気的に接続されている。そして、メインＲＯＭ８１ｂには、パチンコ機を制御するための各種制御プログラムが記憶されている。また、メインＲＡＭ８１ｃには、メインＣＰＵ８１ａが演算処理した制御コマンドが記憶されるようになっている。さらに、メインＣＰＵ８１ａには、前記第１始動入賞口２２ａ内のスイッチ、前記第２始動入賞口２２ｂ内のスイッチ、前記球検出センサ５３、前記特別遊技球検出センサ、前記各ソレノイド４１が接続されている（図示略）。メインＣＰＵ８１ａは、各始動入賞口２２ａ，２２ｂ内のスイッチ、球検出センサ５３及び特別遊技球検出センサからの信号に基づいて、特定遊技状態を制御する。また、メインＣＰＵ８１ａは、羽根部材３６が開状態及び閉状態に切り替わるようにソレノイド４１を直接制御する。
【００６２】
また、メインＣＰＵ８１ａは、入力された磁気検知信号に基づいて、磁気センサ９１の磁気検知時間を測定するようになっている。即ち、メインＣＰＵ８１ａは、『検知時間測定手段』としての機能を有している。また、メインＣＰＵ８１ａは、入力された経路遮断信号に基づいて、経路遮断時間を測定するようになっている。
【００６３】
また、メインＣＰＵ８１ａは、測定された磁気検知時間が、３００ｍｓ（図１１（ｂ）参照）よりも長いか否か、即ち、外的要因により発生するノイズの時間（図１１（ａ）参照）よりも長いか否かを判定するようになっている。即ち、メインＣＰＵ８１ａは、『検知時間判定手段』としての機能を有している。また、メインＣＰＵ８１ａは、測定された経路遮断時間が、３００ｍｓよりも長いか否かを判定するようになっている。
【００６４】
磁気検知時間または経路遮断時間が３００ｍｓよりも長いと肯定判定された場合、メインＣＰＵ８１ａは、ホールコンピュータ９０に対して報知信号を出力するとともに、前記統括制御基板８２に対して報知信号を示すエラーコマンドを出力するようになっている。即ち、メインＣＰＵ８１ａは、『報知信号出力手段』としての機能を有している。なお、本実施形態のメインＣＰＵ８１ａは、磁気検知信号と経路遮断信号とを判別できない。このため、磁気検知信号に基づいて出力される報知信号（第１報知信号）、及び、経路遮断信号に基づいて出力される報知信号（第２報知信号）は、同じ信号となる。
【００６５】
そして、統括制御基板８２に対して制御を指示する場合、メインＣＰＵ８１ａは、制御コマンド、エラーコマンドなどを制御信号（８ビット信号）とし、その信号を出力ポート８７及び出力バッファ８８を介して統括制御基板８２に出力するようになっている。また、メインＣＰＵ８１ａは、制御信号の出力タイミングにあわせて、統括制御基板８２に対し制御信号を構成する制御コマンドの読み込みを指示するための読込信号（ＩＮＴ信号、または、ストローブ信号）を出力ポート８７及び出力バッファ８８を介して出力するようになっている。
【００６６】
一方、ホールコンピュータ９０に対して報知信号を出力する際、主制御基板８１は、報知信号を出力ポート８７を介してホールコンピュータ９０に出力するようになっている。なお、ホールコンピュータ９０への報知信号の出力は、メインＣＰＵ８１ａが肯定判定している間継続される。
【００６７】
次に、前記統括制御基板８２、前記表示制御基板８０、前記ランプ制御基板８３及び前記音声制御基板８４の具体的構成について、図７に基づき説明する。統括制御基板８２は統括制御ＣＰＵ８２ａを備えている。統括制御ＣＰＵ８２ａは、表示制御基板８０、ランプ制御基板８３及び音声制御基板８４に対して制御を指示する際、制御コマンドやエラーコマンドなどを制御信号（８ビット信号）とし、その信号を各制御基板８０，８３，８４に出力するようになっている。
【００６８】
表示制御基板８０の表示制御ＣＰＵ８０ａは、表示演出の制御を行うようになっている。具体的にいうと、表示制御ＣＰＵ８０ａは、主制御基板８１から統括制御基板８２を介して出力された各種制御信号を入力し、当該制御信号を構成する各種制御コマンドに基づき、前記表示装置５４の表示を制御するようになっている。具体的にいうと、表示制御ＣＰＵ８０ａは、入力された各種制御コマンドに基づいて、それらコマンドに指定されたデータを、表示制御ＲＡＭ（図示略）の記憶領域に記憶させるようになっている。そして、表示制御ＣＰＵ８０ａは、表示制御ＲＡＭに記憶された各データに基づいて、表示制御ＲＯＭ（図示略）に記憶された複数種類の表示データのうちいずれか１つを設定（生成）するようになっている。さらに、表示制御ＣＰＵ８０ａは、設定した表示データを表示制御ＲＡＭの記憶領域に記憶させるようになっている。これにより、表示装置５４による表示が実行される。詳述すると、各種制御コマンドが入力された場合、表示制御ＣＰＵ８０ａは、通常演出データを表示信号に変換し、表示装置５４に出力するようになっている。その結果、表示装置５４は、表示信号に基づき表示を行う。なお、本実施形態の表示信号としてはパラレル信号が用いられている。
【００６９】
図７に示されるように、前記ランプ制御基板８３のランプ制御ＣＰＵ８３ａは、発光演出の制御を行うようになっている。具体的にいうと、ランプ制御ＣＰＵ８３ａは、主制御基板８１から統括制御基板８２を介して出力された各種制御信号を入力し、当該制御信号を構成する各種制御コマンドに基づき、前記盤面ランプ１６やパチンコ機の前面側に設けられた枠ランプ（図示略）などのランプ類８５の点滅を制御するようになっている。なお、統括制御ＣＰＵ８２ａからエラーコマンドが入力された場合、ランプ制御ＣＰＵ８３ａは、不正が行われている旨をランプ類８５に報知させるようになっている。即ち、ランプ類８５は、『報知手段』としての機能を有している。具体的にいうと、盤面ランプ１６を１０秒間消灯させるとともに、枠ランプを１０秒間点灯させるようになっている。即ち、ランプ類８５による報知は、前記メインＣＰＵ８１ａが肯定判定すると所定時間（１０秒間）のみ行われる。
【００７０】
また、前記音声制御基板８４の音声制御ＣＰＵ８４ａは、音声演出の制御を行うようになっている。具体的にいうと、音声制御ＣＰＵ８４ａは、主制御基板８１から統括制御基板８２を介して出力された各種制御信号を入力し、当該制御信号を構成する各種制御コマンドに基づき音声出力装置８６を制御するようになっている。なお、統括制御ＣＰＵ８２ａからエラーコマンドが入力された場合、音声制御ＣＰＵ８４ａは、不正が行われている旨を音声出力装置８６に報知させるようになっている。即ち、音声出力装置８６は、『報知手段』としての機能を有している。具体的にいうと、音声出力装置８６からエラー音を１０秒間出力させるようになっている。即ち、音声出力装置８６による報知は、メインＣＰＵ８１ａが肯定判定すると所定時間（１０秒間）のみ行われる。
【００７１】
次に、このように構成されたパチンコ機による制御を図１２，図１３のフローチャートに基づいて説明する。
【００７２】
図１２に示されるように、まずメインＣＰＵ８１ａは、磁気センサ９１がオン状態であるか否か、即ち、メインＣＰＵ８１ａに「Ｌ」レベルの磁気検知信号（または経路遮断信号）が入力されたか否かを判定する（ステップＳ１０）。磁気センサ９１がオフ状態である場合、即ち、磁気検知信号（または経路遮断信号）が入力されず、「Ｈ」レベルの信号が入力されている場合（ステップＳ１０：Ｎ）、メインＣＰＵ８１ａは、判定データとして００ＨをメインＲＡＭ８１ｃにセット（一時的に記憶）して（ステップＳ７０）、ステップＳ８０の処理へ移行する。ステップＳ８０において、メインＣＰＵ８１ａは、磁気センサエラータイマに３００ｍｓをメインＲＡＭ８１ｃにセット（一時的に記憶）する。そして、メインＣＰＵ８１ａは、ステップＳ９０の処理へ移行し、図１３に示すサブルーチンを実行する。
【００７３】
図１３のサブルーチンは、ステップＳ１１０〜Ｓ１６０の処理からなる。ステップＳ１１０において、メインＣＰＵ８１ａは、メインＲＡＭ８１ｃに記憶されている判定データと磁気センサフラグとを確認して、ステップＳ１２０の処理へ移行する。なお、磁気センサフラグとは、磁気センサ９１がオン状態であることを示すフラグである。磁気センサフラグは、電源投入時や、磁気センサ９１がオフ状態である場合に、００ＨがメインＲＡＭ８１ｃにセット（一時的に記憶）される。一方、磁気センサ９１がオン状態になると、０１ＨがメインＲＡＭ８１ｃにセット（一時的に記憶）される。
【００７４】
ステップＳ１２０において、メインＣＰＵ８１ａは、メインＲＡＭ８１ｃに記憶されている判定データと磁気センサフラグとが一致するか否かを判定する。具体的にいうと、メインＣＰＵ８１ａは、判定データと磁気センサフラグとが共に００Ｈ（または０１Ｈ）であるか否かを判定する。この場合、判定データとして００Ｈがセットされ（ステップＳ７０）、磁気センサ９１がオフ状態であるため、メインＣＰＵ８１ａは、判定データと磁気センサフラグとが一致する（共に００Ｈである）と判定して（ステップＳ１２０：Ｙ）、本サブルーチンを終了する。
【００７５】
図１３に示されるサブルーチンが終了すると、メインＣＰＵ８１ａは、図１２に示す処理（磁気センサチェック処理）を終了する。なお、前記ステップＳ１０，ステップＳ７０〜Ｓ９０の処理は、磁気センサ９１がオン状態になるか、磁気センサ９１と主制御基板８１とをつなぐ経路が遮断されるまでの間、実行され続ける。そして、磁気センサ９１がオン状態になると（または、磁気センサ９１と主制御基板８１とをつなぐ経路が遮断されると）、メインＣＰＵ８１ａは、ステップＳ１０での判定を「Ｙ」として、ステップＳ２０の処理へ移行する。
【００７６】
ステップＳ２０において、メインＣＰＵ８１ａは、判定データとして０１ＨをメインＲＡＭ８１ｃにセット（一時的に記憶）し、ステップＳ３０の処理へ移行する。ステップＳ３０において、メインＣＰＵ８１ａは、メインＲＡＭ８１ｃに記憶されている磁気センサエラータイマを確認して、ステップＳ４０の処理へ移行する。ステップＳ４０において、メインＣＰＵ８１ａは、前記ステップＳ８０にてメインＲＡＭ８１ｃに記憶された磁気センサエラータイマが０ｍｓになったか否か、即ち、磁気検知時間または経路遮断時間が３００ｍｓよりも長いか否かを判定する。磁気センサエラータイマが０ｍｓになっていない場合（ステップＳ４０：Ｙ）、メインＣＰＵ８１ａは、磁気検知時間または経路遮断時間が３００ｍｓよりも短いと判定して、ステップＳ５０の処理へ移行する。ステップＳ５０において、メインＣＰＵ８１ａは、メインＲＡＭ８１ｃに記憶されている磁気センサエラータイマを減算する。なお、磁気センサエラータイマは、所定の割込み周期（４ｍｓ）ごとに減算されるようになっている。そして、メインＣＰＵ８１ａは、ステップＳ６０において、磁気センサエラータイマが０ｍｓになったか否かを再度判定する。磁気センサエラータイマが０ｍｓになっていない場合（ステップＳ６０：Ｙ）、メインＣＰＵ８１ａは、磁気検知時間または経路遮断時間が３００ｍｓよりも短いと判定して、ここでの処理を終了する。
【００７７】
なお、前記ステップＳ１０〜Ｓ６０の処理は、ステップＳ６０において、磁気センサエラータイマが０ｍｓになったと判定されるまで繰り返し実行される。そして、磁気センサエラータイマが０ｍｓになったと判定されると（ステップＳ６０：Ｎ）、メインＣＰＵ８１ａは、ステップＳ９０の処理へ移行し、図１３に示すサブルーチンを実行する。また、磁気センサエラータイマが０ｍｓになったと判定された後の状態（即ち、磁気検知時間または経路遮断時間が３００ｍｓを超えた状態）において、メインＣＰＵ８１ａは、ステップＳ４０での判定を「Ｎ」とし、ここでの処理を終了する。
【００７８】
図１３のサブルーチンにおいて、メインＣＰＵ８１ａは、前記ステップＳ１１０の処理を行った後、前記ステップＳ１２０の処理を行う。この場合、判定データとして０１Ｈがセットされているため（ステップＳ２０）、メインＣＰＵ８１ａは、判定データと磁気センサフラグとが一致しない（判定データは０１Ｈであるが、磁気センサフラグは００Ｈである）と判定して（ステップＳ１２０：Ｎ）、ステップＳ１３０の処理へ移行する。
【００７９】
ステップＳ１３０において、メインＣＰＵ８１ａは、判定データと同じ値（０１Ｈ）を磁気センサフラグとしてメインＲＡＭ８１ｃにセット（一時的に記憶）して、ステップＳ１４０の処理へ移行する。ステップＳ１４０において、メインＣＰＵ８１ａは、判定データの値が０１Ｈであるか否かを判定する。ここで、判定データの値は０１Ｈであるため、メインＣＰＵ８１ａは、ステップＳ１４０での判定を「Ｙ」として、ステップＳ１５０の処理へ移行する。ステップＳ１５０において、メインＣＰＵ８１ａは、ホールコンピュータ９０に対して報知信号を出力するとともに、統括制御ＣＰＵ８２ａに対してエラーコマンドを出力し、本サブルーチンを終了して、図１２に示す処理（磁気センサチェック処理）を終了する。
【００８０】
その後、磁気センサ９１がオフ状態になると、前記ステップＳ７０において判定データとして００ＨがメインＲＡＭ８１ｃにセットされるため、メインＣＰＵ８１ａは、前記ステップＳ１２０での判定を「Ｎ」とし、ステップＳ１３０，Ｓ１４０の処理へ移行する。ステップＳ１４０では、判定データの値が０１Ｈではない（００Ｈである）と判定されるため（ステップＳ１４０：Ｎ）、メインＣＰＵ８１ａは、ステップＳ１６０の処理へ移行する。ステップＳ１６０において、メインＣＰＵ８１ａは、ホールコンピュータ９０への報知信号の出力を停止し、本サブルーチンを終了して、図１２に示す処理（磁気センサチェック処理）を終了する。
【００８１】
ところで、前記駆動機構支持体３９は、本来的には、前記表示制御基板８０（図７参照）と前記表示装置５４（図７参照）との間に介在された中継基板を支持する中継基板支持体である。この場合、表示制御基板８０から中継基板を介して表示装置５４に出力される表示信号としては、シリアル信号が用いられる。しかし、中継基板を介して表示信号を表示装置５４に出力すると、コストが高く、制御が複雑になる。そこで、本実施形態では、表示信号を、従来のシリアル信号とは異なるパラレル信号に変更し、中継基板及び中継基板に接続する配線を省略している。その結果、駆動機構支持体３９の表面側に空間的余裕が生じるため、本実施形態では、駆動機構支持体３９の空いた箇所に磁気センサ９１を配置している。
【００８２】
従って、本実施形態によれば以下のような効果を得ることができる。
【００８３】
（１）本実施形態のパチンコ機では、磁気センサ９１による磁気検知時間がノイズの時間よりも長いと判定された場合（ステップＳ６０にて「Ｎ」となる場合）にはじめて、ランプ類８５、音声出力装置８６及びホールコンピュータ９０による不正が行われている旨の報知が可能となる（ステップＳ１５０）。このため、偶然発生したノイズに基づく無駄な報知を防止できる。即ち、ランプ類８５及び音声出力装置８６による報知や、ホールコンピュータ９０への報知は、実際に不正行為が行われた場合のみとなる。以上により、遊技者が行う不正行為を正確に検知でき、しかも無実の遊技者をノイズに起因した報知に基づいて疑わなくて済む。
【００８４】
（２）また、本実施形態では、主制御基板８１と磁気センサ９１とをつなぐ経路が遮断され、経路遮断時間がノイズの時間よりも長いと判定されると、不正が行われている旨が報知される。このため、上記の経路が遮断された状態（即ち、磁気センサ９１による磁気の検知が不能な状態）で不正を行うことを未然に防止できる。
【００８５】
（３）本実施形態の磁気センサ９１は、第１入賞空間３４よりも後方に配置されて入賞装置２１内において視認不能に設けられるため、意匠性に影響を与えない入賞装置２１となる。
【００８６】
（４）本実施形態の磁気センサ９１は、遊技盤１３の遊技盤面１３ａに対して平行に配置されており、検知範囲Ａ１（図１参照）は遊技盤１３の横方向に広がっている。このため、磁気センサ９１を、遊技盤１３の遊技盤面１３ａに対して直交した状態で配置する場合（図１４参照）に比べて、磁気を広範囲に検知することができる。
【００８７】
なお、本発明の実施形態は以下のように変更してもよい。
【００８８】
・上記実施形態では、磁気検知時間が３００ｍｓよりも長いと判定された際に、報知信号を出力するようになっていたが、報知信号を出力する基準となる時間をさらに長くしてもよい。例えば、磁気検知時間が、羽根部材３６の開閉期間よりも長いと判定された場合に、報知信号を出力するようにしてもよい。この場合、報知信号を出力する基準となる磁気検知時間を、ソレノイド４１が継続して駆動する最大時間（羽根部材３６が継続して開閉する最大時間）となる。このため、磁気センサ９１がソレノイド４１から発生するノイズを仮に検知したとしても、メインＣＰＵ８１ａは報知信号を出力しないことから、報知手段による報知が行われるときには必ず不正が行われていると判断できる。なお、「開閉期間」とは、第２始動入賞口２２ｂに入賞して羽根部材３６が１回開閉する場合は１回分の時間、第１始動入賞口２２ａに入賞して羽根部材３６が２回開閉する場合は２回分の時間をいう。
【００８９】
・上記実施形態の磁気センサ９１は、磁気センサ９１の長手方向に延びる仮想線Ｃ１上において磁気の検知感度が高くなっており、遊技盤１３の遊技盤面１３ａに対して平行に配置されていた。しかし、図１４に示されるように、上記実施形態の磁気センサ９１を、遊技盤面１３ａに対して直交した状態に配置してもよい。このようにすれば、遊技盤１３の前後方向において磁気の検知感度が高くなるため、磁気センサ９１による磁気の検知能力が高くなる。
【００９０】
・上記実施形態の磁気センサ９１は、第１入賞空間３４及び第２入賞空間３５の外部であって第１入賞空間３４の後方となる箇所に配置されていた。しかし、磁気センサ９１は、特別入賞口３７の近傍に配置されていてもよい。このようにすれば、特別入賞口３７を直接狙う不正行為を防止できる。
【００９１】
・上記実施形態の磁気センサ９１は、入賞装置２１内において視認不能に設けられていた。しかし、磁気センサ９１は、入賞装置２１内におけるガラスの近傍に視認可能に設けられていてもよい。例えば、磁気センサ９１は、第１入賞空間３４内、上部入賞空間６２ａ内及び下部入賞空間６２ｂ内などに視認可能に設けられていてもよい。このようにすれば、不正行為を行う際に磁石が接近しうるガラスの近傍に磁気センサ９１が設けられるため、磁石と磁気センサ９１との距離が短くなる。その結果、検知範囲Ａ１が広くなるため、磁気センサ９１による磁気の検知が容易になる。また、磁気センサ９１が視認可能であるため、磁気センサ９１による威嚇効果によって不正行為を未然に防止できる。
【００９２】
・上記実施形態のメインＣＰＵ８１ａは、磁気検知信号と経路遮断信号とを判別できないため、磁気検知信号に基づいて出力される報知信号（第１報知信号）、及び、経路遮断信号に基づいて出力される報知信号（第２報知信号）は、同じ信号であった。しかし、メインＣＰＵ８１ａに、磁気検知信号と経路遮断信号とを判別する信号判別手段としての機能を持たせるようにしてもよい。そして、磁気検知信号であると判別された場合、メインＣＰＵ８１ａは、ホールコンピュータ９０に対して第１報知信号を出力するとともに、統括制御基板８２に対して第１報知信号を示す第１エラーコマンドを出力してもよい。また、経路遮断信号であると判別された場合、メインＣＰＵ８１ａは、ホールコンピュータ９０に対して第１報知信号とは別の第２報知信号を出力するとともに、統括制御基板８２に対して第２報知信号を示す第２エラーコマンドを出力してもよい。このようにすれば、ランプ類８５及び音声出力装置８６は、第１エラーコマンドが入力された場合と第２エラーコマンドが入力された場合とで、異なる報知を行うことができる。
【００９３】
・上記実施形態では、不正が行われている旨を報知する報知手段としてランプ類８５や音声出力装置８６が用いられていたが、表示装置５４などを報知手段として用いてもよい。なお、表示装置５４により不正が行われている旨を報知する具体例としては、表示装置５４に「ゴト」という文字を１０秒間表示させることなどが挙げられる。また、報知手段は、１種類のみであってもよいし、複数種類あってもよい。
【００９４】
・上記実施形態では、磁気センサ９１からの磁気検知信号が、入力ポート８９のみを介してメインＣＰＵ８１ａに入力されるようになっていたが、信号中継基板及び入力ポート８９を介してメインＣＰＵ８１ａに入力されるようになっていてもよい。また、メインＣＰＵ８１ａは、直接ホールコンピュータ９０に対して報知信号を出力するようになっていたが、外部接続基板を介してホールコンピュータ９０に対して報知信号を出力するようになっていてもよい。
【００９５】
・上記実施形態のメインＣＰＵ８１ａは、エラーコマンドを、統括制御基板８２を介してランプ制御基板８３及び音声制御基板８４に出力するようになっていたが、統括制御基板８２を介さずに直接ランプ制御基板８３及び音声制御基板８４に出力するようにしてもよい。
【００９６】
次に、前述した実施形態によって把握される技術的思想を以下に列挙する。
【００９７】
（１）遊技球が通過可能な開状態及び遊技球が通過不能な閉状態に切替可能な開閉部材を備え、前記開閉部材の開閉時間が複数通りに設定され、磁気を検知して磁気検知信号を出力する磁気センサが内部に設けられた入賞装置と、前記磁気センサからの前記磁気検知信号が入力される制御基板と、前記制御基板からの第１報知信号に基づいて、不正が行われている旨を報知する報知手段とを備える遊技機であって、前記制御基板は、入力された前記磁気検知信号に基づいて前記磁気センサの磁気検知時間を測定する検知時間測定手段と、前記検知時間測定手段によって測定された前記磁気検知時間が、前記開閉部材の開閉期間に達したか否かを判定する検知時間判定手段と、前記検知時間判定手段によって前記磁気検知時間が前記開閉部材の開閉期間よりも長いと判定された場合に、前記報知手段に対して前記第１報知信号を出力する報知信号出力手段とを備えることを特徴とする遊技機。
【００９８】
（２）請求項１乃至４のいずれか１項において、前記磁気センサは、前記入賞装置内において視認不能に設けられることを特徴とする遊技機。
【００９９】
（３）請求項１乃至６のいずれか１項において、前記入賞装置は、前記遊技盤に設けられた始動入賞口への遊技球の入賞を契機として開閉する一対の羽根部材を前記開閉部材として有する入賞装置であり、前記入賞装置内には、前記一対の羽根部材が前記開状態であるときに遊技球が流入しうる第１入賞空間と、前記第１入賞空間に流入した遊技球が流入する第２入賞空間とが形成され、前記第２入賞空間内に、前記第２入賞空間に流入した遊技球が入賞可能であり、遊技球が入賞しても遊技者に有利な特定遊技状態が付与されない一般入賞口と、前記第２入賞空間に流入した遊技球が入賞可能であり、遊技球の入賞により遊技者に有利な特定遊技状態が付与される契機となる特別入賞口と、前記第２入賞空間に流入した遊技球を前記一般入賞口側と前記特別入賞口側とに振り分ける振分部材とが設けられ、前記特別入賞口の近傍に前記磁気センサを設けたことを特徴とする遊技機。
【０１００】
（４）請求項１乃至８のいずれか１項において、前記磁気センサは、棒状をなし、前記磁気センサの長手方向に延びる仮想線上において磁気の検知感度が高くなっており、前記入賞装置が設けられる遊技盤の遊技盤面に対して平行に配置されていることを特徴とする遊技機。
【０１０１】
（５）請求項１乃至８のいずれか１項において、前記磁気センサは、棒状をなし、前記磁気センサの長手方向に延びる仮想線上において磁気の検知感度が高くなっており、前記入賞装置が設けられる遊技盤の遊技盤面に対して直交した状態で配置されていることを特徴とする遊技機。
【符号の説明】
【０１０２】
１３…遊技盤
２１…入賞装置
２２ａ…始動入賞口としての第１始動入賞口
２２ｂ…始動入賞口としての第２始動入賞口
３４…第１入賞空間
３５…第２入賞空間
３６…開閉部材としての羽根部材
３７…特別入賞口
３８…一般入賞口
４１…電気的アクチュエータとしてのソレノイド
６６…振分部材としての流路変更部材
７０…振分部材としての樋部材
７２…振分部材としてのキャラクタ体
８１…制御基板としての主制御基板
８１ａ…検知時間測定手段、検知時間判定手段及び報知信号出力手段としてのメインＣＰＵ
８５…報知手段としてのランプ類
８６…報知手段としての音声出力装置
９０…ホールコンピュータ
９１…磁気センサ
９２…シールド部材としてのシールド板
Ｓ１…遊技球
【図１】
2011212469.tif 000003
【図２】
2011212469.tif 000004
【図３】
2011212469.tif 000005
【図４】
2011212469.tif 000006
【図５】
2011212469.tif 000007
【図６】
2011212469.tif 000008
【図７】
2011212469.tif 000009
【図８】
2011212469.tif 000010
【図９】
2011212469.tif 000011
【図１０】
2011212469.tif 000012
【図１１】
2011212469.tif 000013
【図１２】
2011212469.tif 000014
【図１３】
2011212469.tif 000015
【図１４】
2011212469.tif 000016